(57)【要約】      （修正有）【課題】連結構造を有するラックフレームを提供する。【解決手段】ラックフレームは、複数本の横棒１１と、複数本の縦棒１２とを有すると共に、連結構造２０により各横棒１１と各縦棒１２との間を対応して相連結し、連結構造２０は、主に横棒１１の端部に固設されている固定座２１と、固定座２１に開口して形成された嵌め溝２１２と、縦棒１２のジョイント溝内に嵌めて取り付けられるための抜け止め具２２と、抜け止め具２２と相連結する挿入体２３と、挿入体２３の一端に連結されている嵌合フランジ２４と、抜け止め具２２、嵌合フランジ２４及び挿入体２３に入れられてそれらを一緒に連結する固定具２５とを含み、嵌め溝２１２の一端が横棒１１の底縁まで延びて開口端２１３が形成され、そして嵌合フランジ２４と挿入体２３の一部とを嵌め溝２１２内に対応して挿着する。【選択図】図２
0003218382.tif 000002
【実用新案登録請求の範囲】
【請求項１】
連結構造を有するラックフレームであって、
複数本の横棒１１と、複数本の縦棒１２とを有すると共に、前記連結構造２０により各前記横棒１１と各前記縦棒１２との間を対応して相連結し、
前記連結構造２０は、
前記横棒１１の端部に固設され、前記横棒１１の端面を被覆するための板体２１１を有する固定座２１と、前記固定座２１及びその板体２１１上に開口して形成された嵌め溝２１２と、前記縦棒１２のジョイント溝１２１内に嵌めて取り付けられるための抜け止め具２２と、前記抜け止め具２２と相連結する挿入体２３と、前記挿入体２３の一端に連結されている嵌合フランジ２４と、前記抜け止め具２２、前記嵌合フランジ２４及び前記挿入体２３に入れられてそれらを一緒に連結する固定具２５とを含み、
前記嵌め溝２１２の一端が前記横棒１１の底縁まで延びて開口端２１３が形成され、また前記嵌め溝２１２は、前記横棒１１の軸方向に沿って内向きに広がった構造形態を呈し、
かつ前記挿入体２３の前記抜け止め具２２と相連結する他端にガイド突起２３１が延設され、前記ガイド突起２３１と前記挿入体２３との間に階段部２３２が形成され、前記ガイド突起２３１は、前記ジョイント溝１２１に嵌入するために供されることで、前記挿入体２３を前記縦棒１２に相対して偏向回転不能にすると同時に、前記階段部２３２を前記ジョイント溝１２１の縁壁１２２上に当接させることで、前記階段部２３２と前記抜け止め具２２とを対応状態で前記ジョイント溝１２１の縁壁１２２に挟んで取り付け、そして前記嵌合フランジ２４と前記挿入体２３とを前記嵌め溝２１２の内向きに広がった構造形態に対応して密着状態を呈して前記嵌め溝２１２内に挿着することを特徴とする、連結構造を有するラックフレーム。
【請求項２】
前記固定座２１の板体２１１の閉鎖端２１７に近接する位置に前記ジョイント溝１２１に嵌入するための第２ガイド突起２１４が設けられることで、前記固定座２１を前記縦棒１２に相対して偏向回転不能にすることを特徴とする、請求項１に記載の連結構造を有するラックフレーム。
【請求項３】
前記嵌め溝２１２の前記開口端２１３から離れた側の他端を前記横棒１１の径方向に沿って内向きに掘り下げて形成すると共に、凹の湾曲形態を呈する閉鎖端２１７が構成されて、前記嵌め溝２１２の閉鎖端２１７が凹の湾曲形態を呈し、前記挿入体２３は、前記閉鎖端２１７に対応して凸の湾曲形態を呈する当接面２３３を有することを特徴とする、請求項２に記載の連結構造を有するラックフレーム。
【請求項４】
前記嵌合フランジ２４の前記嵌め溝２１２の溝壁と互いに当接する端面上に位置規制凸部２４１が設けられて、前記嵌め溝２１２の前記開口端２１３に近接する溝壁に位置規制凹部２１８を有し、前記位置規制凸部２４１が選択的に前記位置規制凹部２１８内に挿入されることで、前記嵌合フランジ２４を前記固定座２１内に位置規制し、前記嵌め溝２１２の前記開口端２１３に近接する溝壁に案内斜面２１９を有することを特徴とする、請求項３に記載の連結構造を有するラックフレーム。
【請求項５】
前記固定座２１は、前記板体２１１から前記横棒１１の内部に向けて連結体２１５が延設されて、前記連結体２１５の底縁に係止部２１６が突設されて、前記横棒１１の内壁面に前記係止部２１６を嵌入するための位置規制孔１１１を有することを特徴とする、請求項４に記載の連結構造を有するラックフレーム。
【考案の詳細な説明】
【技術分野】
【０００１】
本考案は、ラックフレームに係り、特に、連結構造を有するラックフレームの斬新な構造形態の開示に関するものである。
【背景技術】
【０００２】
従来、日常生活において既に非常によく見られる物品棚のような製品は、各種の日用品、本や工具などの物品を置いたり、収納したりするために用いられるので、便利に取り出して用いることができ、及び環境をより整理整頓して美観を保つ目的を達成することができる。
【考案の概要】
【考案が解決しようとする課題】
【０００３】
現在、市場上の物品棚の製品形態は、相当に多様性に富んでおり、通常、支持柱、ラックフレームや積層板などの構成部品から組み立てられる。ただし、この種の物品棚の構造形態は、実際の使用経験において、依然として下記の問題点が存在することが発見された。従来の物品棚の各構成部品の間は、通常、ネジ締結により固定されており、このようにしてその結合方式は、組み立て・分解の過程が比較的に煩雑となるのみならず、大量の組み立て時間も浪費してしまう。そのうえ、仮に従来の物品棚の各構成部品の間は、半田接合によって固定されている場合であっても、消費者の異なる使用要求に応じて支持柱、ラックフレームや積層板を再び調整・取替えることが困難となり、確かに改良が必要である。
【課題を解決するための手段】
【０００４】
以上の目的に基づき、本考案は、連結構造を有するラックフレームを提供し、前記ラックフレームは、複数本の横棒と、複数本の縦棒とを有すると共に、前記連結構造により各前記横棒と各前記縦棒との間を対応して相連結し、前記連結構造は、主に前記横棒の端部に固設されている固定座と、前記固定座及びその板体上に開口して形成された嵌め溝と、前記縦棒のジョイント溝内に嵌めて取り付けられるための抜け止め具と、前記抜け止め具と相連結する挿入体と、前記挿入体の一端に連結されている嵌合フランジと、前記抜け止め具、前記嵌合フランジ及び前記挿入体に入れられてそれらを一緒に連結する固定具とを含み、また前記固定座は、前記横棒の端面を被覆するための板体を有し、前記嵌め溝の一端が前記横棒の底縁まで延びて開口端が形成され、また前記嵌め溝は、前記横棒の軸方向に沿って内向きに広がった構造形態を呈し、かつ前記挿入体の前記抜け止め具と相連結する他端にガイド突起が延設され、前記ガイド突起と前記挿入体との間に階段部が形成され、前記ガイド突起は、前記ジョイント溝に嵌入するために供されることで、前記挿入体を前記縦棒に相対して偏向回転不能にすると同時に、前記階段部を前記ジョイント溝の縁壁上に当接させることで、前記階段部と前記抜け止め具とを対応状態で前記ジョイント溝の縁壁に挟んで取り付け、そして前記嵌合フランジと前記挿入体とを前記嵌め溝の内向きに広がった構造形態に対応して密着状態を呈して前記嵌め溝内に挿着する。
【考案の効果】
【０００５】
この斬新な独特の構造によれば、本考案は、従来の技術に比較すると、前記挿入体の当接面を前記嵌め溝の閉鎖端に対応する構造を用いることにより、前記嵌合フランジを前記嵌め溝内に挿設するので、指向性組み付けを達成して、誤りなく確実に組み付ける作用を実現することができる。さらに、連結構造により横棒と縦棒とを相連結することができるから、任意の手工具を使用する必要がなく、取り付けまたは取り外しを容易かつ迅速に行うことができ、時間節約と便利性の目的を達成でき、特に実用的利点を有する。
【図面の簡単な説明】
【０００６】
【図１】本考案の第１実施形態の組合せ斜視図である。
【図２】図１に続く一部分解斜視図である。
【図３】図２に続く別の視角からの模式図である。
【図４】図１に続く一部組合せ断面図である。
【図５】図１に続き、横板が戴置された実施形態を示す。
【図６】図１に続き、横板が戴置された実施形態を示す。
【図７】図１に続き、横板が戴置された実施形態を示す。
【図８】本考案の第２実施形態の組合せ斜視図である。
【図９】本考案の第３実施形態の組合せ斜視図である。
【考案を実施するための形態】
【０００７】
図１〜図４に示すのは、本考案の連結構造を有するラックフレームの第１実施形態であるが、この第１実施形態は説明のみに用いられるもので、実用新案登録請求の際、それらの構造に制限されないものとする。
【０００８】
かかるラックフレーム１０は、複数本の横棒１１と、複数本の縦棒１２とを有すると共に、前記連結構造２０により各前記横棒１１と各前記縦棒１２との間を対応して相連結することができるから、任意の手工具を使用する必要がなく、取り付けまたは取り外しを容易かつ迅速に行うことができ、時間節約と便利性の目的を達成できる。前記連結構造２０は、主に前記横棒１１の端部に固設されている固定座２１と、前記固定座２１及びその板体２１１上に開口して形成された嵌め溝２１２と、前記縦棒１２のジョイント溝１２１内に嵌めて取り付けられるための抜け止め具２２と、前記抜け止め具２２と相連結する挿入体２３と、前記挿入体２３の一端に連結されている嵌合フランジ２４と、前記抜け止め具２２、前記嵌合フランジ２４及び前記挿入体２３に入れられてそれらを一緒に連結する固定具２５とを含み、また前記固定座２１は、前記横棒１１の端面を被覆するための板体２１１を有し、前記嵌め溝２１２の一端が前記横棒１１の底縁まで延びて開口端２１３が形成され、また前記嵌め溝２１２は、前記横棒１１の軸方向に沿って内向きに広がった構造形態を呈し、かつ前記挿入体２３の前記抜け止め具２２と相連結する他端にガイド突起２３１が延設され、前記ガイド突起２３１と前記挿入体２３との間に階段部２３２が形成され、前記ガイド突起２３１は、前記ジョイント溝１２１に嵌入するために供され、ガイド突起２３１が前記ジョイント溝１２１の縁壁１２２による制限を受けることで、前記挿入体２３を前記縦棒１２に相対して偏向回転不能にすると同時に、前記階段部２３２を前記ジョイント溝１２１の縁壁１２２上に当接させることで、前記階段部２３２と前記抜け止め具２２とを対応状態で前記ジョイント溝１２１の縁壁１２２に挟んで取り付け、そして前記嵌合フランジ２４と前記挿入体２３とを前記嵌め溝２１２の内向きに広がった構造形態に対応して密着状態を呈して前記嵌め溝２１２内に挿着する。
【０００９】
本例において、前記固定座２１の板体２１１の閉鎖端２１７に近接する位置に前記ジョイント溝１２１に嵌入するための第２ガイド突起２１４が設けられ、第２ガイド突起２１４が前記ジョイント溝１２１の縁壁１２２による制限を受けることで、前記固定座２１を前記縦棒１２に相対して偏向回転不能にする。さらに、前記固定座２１は、前記板体２１１から前記横棒１１の内部に向けて連結体２１５が延設され、前記連結体２１５の底縁に係止部２１６が突設され、前記横棒１１の内壁面に前記係止部２１６を嵌入するための位置規制孔１１１を有する。
【００１０】
本例において、前記嵌め溝２１２の前記開口端２１３から離れた側の他端を前記横棒１１の径方向に沿って内向きに掘り下げて形成すると共に、凹の湾曲形態を呈する閉鎖端２１７が構成されて、前記嵌め溝２１２の閉鎖端２１７が凹の湾曲形態を呈し、前記挿入体２３は、前記閉鎖端２１７に対応して凸の湾曲形態を呈する当接面２３３を有する。これにより、前記挿入体２３の当接面２３３を前記嵌め溝２１２の閉鎖端２１７に対応する構造を用いることで、前記嵌合フランジ２４を前記嵌め溝２１２内に挿設するので、指向性組み付けを達成して、誤りなく確実に組み付ける作用を実現することができる。
【００１１】
本例において、前記嵌合フランジ２４の前記嵌め溝２１２の溝壁と互いに当接する端面上に位置規制凸部２４１が設けられて、前記嵌め溝２１２の前記開口端２１３に近接する溝壁に位置規制凹部２１８を有し、前記位置規制凸部２４１が選択的に前記位置規制凹部２１８内に挿入されることで、前記嵌合フランジ２４を前記固定座２１内に位置規制する。さらに、前記嵌め溝２１２の前記開口端２１３に近接する溝壁に案内斜面２１９を有することで、嵌合フランジ２４を前記嵌め溝２１２内に入れると、位置規制凸部２４１が案内斜面２１９に位置合わせされると共に、案内斜面２１９による案内を受けると、嵌合フランジ２４が前記嵌め溝２１２内に円滑かつ迅速に取り付けられる。
【００１２】
図５〜図７に示すように、前記ラックフレーム１０は、横板３０を戴置するために供された後、物置き・収納の機能を提供でき、そのうち、横板３０の種類態様及びその組み立て方式は、使用者の要求に応じて適宜設定される。
【００１３】
図８に示す本考案の第２実施形態において、それと第１実施形態の主な相違点は、前記ラックフレーム１０は追加の横棒１１または縦棒１２を用いてさらに物品棚が組み立てられて、連結構造２０は、かかる物品棚の各コーナー部位に位置することである。
【００１４】
図９に示す本考案の第３実施形態において、それと第２実施形態の主な相違点は、前記ラックフレーム１０でも同様に追加の横棒１１または縦棒１２を用いて、使用者の要求に従って横方向に増設する２列の物品棚が構成されることである。
【符号の説明】
【００１５】
１０：ラックフレーム
１１：横棒
１１１：位置規制孔
１２：縦棒
１２１：ジョイント溝
１２２：縁壁
２０：連結構造
２１：固定座
２１１：板体
２１２：嵌め溝
２１３：開口端
２１４：第２ガイド突起
２１５：連結体
２１６：係止部
２１７：閉鎖端
２１８：位置規制凹部
２１９：案内斜面
２２：抜け止め具
２３：挿入体
２３１：ガイド突起
２３２：階段部
２３３：当接面
２４：嵌合フランジ
２４１：位置規制凸部
２５：固定具
３０：横板
【図１】
0003218382.tif 000003
【図２】
0003218382.tif 000004
【図３】
0003218382.tif 000005
【図４】
0003218382.tif 000006
【図５】
0003218382.tif 000007
【図６】
0003218382.tif 000008
【図７】
0003218382.tif 000009
【図８】
0003218382.tif 000010
【図９】
0003218382.tif 000011